(57)【要約】  ポインタ３０を表示可能な表示部３と、表示部３に重ねて配置され、指示体である指１０との間の距離を検出可能なタッチパネル２と、を備え、指１０の移動に応じてポインタ３０を移動させ、指１０が、タッチパネル２の座標補正Ｘ，Ｙ領域２０において、タッチパネル２との間の距離が第１の距離以下であり、かつ第１の距離より小さい第２の距離より大きい場合、指１０の移動の長さに対して所定の倍率の長さでポインタ３０を移動させる。
2014041732.tif 000002
【特許請求の範囲】
【請求項１】
ポインタを表示可能な表示部と、
前記表示部に重ねて配置され、指示体との間の距離を検出可能なタッチパネルと、を備え、
前記ポインタは、前記指示体の移動に応じて移動し、
前記タッチパネルの所定の領域において、前記距離が第１の距離以下であり、かつ前記第１の距離より小さい第２の距離より大きい場合、前記ポインタの移動の長さは、前記指示体の移動の長さの、所定の倍率である、
携帯電子機器。
【請求項２】
請求項１に記載の携帯電子機器であって、
前記第２の距離は、０である、
携帯電子機器。
【請求項３】
請求項１又は請求項２に記載の携帯電子機器であって、
前記指示体の移動は、前記タッチパネルの面に沿った移動である、
携帯電子機器。
【請求項４】
請求項１から請求項３のいずれか１項に記載の携帯電子機器であって、
前記所定の倍率は、１より大きい、
携帯電子機器。
【請求項５】
請求項１から請求項４のいずれか１項に記載の携帯電子機器であって、
前記表示部は、平面視において第１の形状を有し、
前記所定の領域は、平面視において、第２の形状を有し、
前記第１の形状は、前記第２の形状より面積が大きい、
携帯電子機器。
【請求項６】
請求項５に記載の携帯電子機器であって、
前記第１の形状は、前記第２の形状の相似である、
携帯電子機器。
【請求項７】
請求項６に記載の携帯電子機器であって、
前記所定の倍率は、前記第１の形状と前記第２の形状との相似比と略同じである、
携帯電子機器。
【請求項８】
請求項１から請求項７のいずれか１項に記載の携帯電子機器であって、
前記表示部は、アイコンを表示可能であり、
前記ポインタが前記アイコンと重なっている場合に、前記距離が少なくとも第２の距離以下になった場合、前記アイコンに対応する機能を起動する、
携帯電子機器。
【請求項９】
請求項１から請求項８のいずれか１項に記載の携帯電子機器であって、
前記所定の領域を、図形を用いて表示可能な、
携帯電子機器。
【請求項１０】
請求項１から請求項９のいずれか１項に記載の携帯電子機器であって、
少なくとも、第１モードと第２モードを備え、
前記第１モードにおいては、
前記ポインタは、前記指示体の移動に応じて移動し、
少なくとも前記所定の領域において、前記距離が第１の距離以下であり、かつ前記第２の距離より大きい場合、前記ポインタ移動の長さは、前記指示体移動の長さの、１より大きい所定の倍率であり、
前記ポインタの位置に対応して機能を実行可能であり、
前記第２モードにおいては、
前記指示体の位置に対応して機能を実行可能である、
携帯電子機器。
【請求項１１】
請求項１０に記載の携帯電子機器であって、
第１の操作によって、前記第１モードから前記第２モードへ切り替え可能な、
携帯電子機器。
【請求項１２】
請求項１１に記載の携帯電子機器であって、
第２の操作によって、前記第２モードから前記第１モードへ切り替え可能な、
携帯電子機器。
【請求項１３】
請求項１２に記載の携帯電子機器であって、
前記第１の操作と前記第２の操作は同じ操作である、
携帯電子機器。
【請求項１４】
請求項１から請求項１３のいずれか１項に記載の携帯電子機器であって、
前記所定の領域は設定可能である、
携帯電子機器。
【請求項１５】
請求項１４に記載の携帯電子機器であって、
予め備えられた複数の所定の領域から使用者によって選択されることによって、前記所定の領域が設定可能である、
携帯電子機器。
【請求項１６】
請求項９に記載の携帯電子機器であって、
使用者によって前記図形が移動又は／及び変形されることによって、前記所定の領域が設定可能である、
携帯電子機器。
【請求項１７】
請求項１６に記載の携帯電子機器であって、
少なくとも、第１モードと第３モードを備え、
前記第１モードにおいては、前記ポインタが前記指示体の移動に応じて移動し、
前記第３モードにおいては、前記所定の領域を表示する、
携帯電子機器。
【請求項１８】
請求項１７に記載の携帯電子機器であって、
前記第３モードにおいて、前記図形を所定の透過率で表示する、
携帯電子機器。
【請求項１９】
請求項１８に記載の携帯電子機器であって、
前記第１モードにおいては、前記ポインタが前記指示体の移動に応じて移動するとともに、前記所定の領域を、第１透過率の図形を用いて表示し、
前記第３モードにおいては、前記所定の領域を、前記第１透過率より小さい第２透過率の図形を用いて表示する、
携帯電子機器。
【請求項２０】
請求項１７に記載の携帯電子機器であって、
前記第１モードにおいて、前記所定の領域は表示されない、
携帯電子機器。
【請求項２１】
請求項１７から請求項２０のいずれか１項に記載の携帯電子機器であって、
少なくとも前記第３モードにおいて、前記所定の領域が設定可能である、
携帯電子機器。
【発明の詳細な説明】
【技術分野】
【０００１】
本発明は、タッチパネルを搭載した携帯電子機器に関する。
【背景技術】
【０００２】
周知の如く、タッチパネルとは、液晶パネルのような表示装置とタッチパッド（位置入力装置）とを組み合わせたものである。
タッチパネルの表示装置に表示するカーソルの移動速度の切替えを可能とした一例として、特許文献１に記載されているものがある。この特許文献１に記載されたタッチパッドの多重変速カーソル制御方法は、２つ以上の速度パラメータ演算式を有し、押圧スイッチがオン状態の時には、第１演算式を使用して速度パラメータを計算し、押圧スイッチがオフ状態の時には、第２演算式を使用して速度パラメータを計算し、手指座標変化ベクトルに速度パラメータを乗じてスクリーンカーソルの移動ベクトルとする。
【先行技術文献】
【特許文献】
【０００３】
【特許文献１】日本国特開２０１０−１６０７７４号公報
【発明の概要】
【発明が解決しようとする課題】
【０００４】
スマートフォン等のタッチパネルを搭載した携帯電子機器では、画面サイズの大型化に伴い、片手で画面の上部をタッチすることが困難である。例えば、画面に表示される複数のアイコンのうち、指から離れた位置にあるアイコンに対しては、片手操作ではアクセスすることができない。
また、スマートフォン等のタッチパネルを搭載した携帯電子機器において、ノートパソコンに搭載されているような物理的なパッドを画面とは別な場所に搭載すると、その分だけ画面サイズが小さくなる。即ち、搭載する表示装置は画面サイズの小さなものになってしまう。また、画面表示領域内に仮想的にパッドを配置するようにしても有効な表示領域が小さくなる。【０００５】
本発明は、係る事情に鑑みてなされたものであり、片手操作で、指が届かない位置にあるアイコンにも容易にアクセスすることができるとともに、表示部の表示領域を有効に使用することができる携帯電子機器を提供することを目的とする。
【課題を解決するための手段】
【０００６】
本発明の携帯電子機器は、ポインタを表示可能な表示部と、前記表示部に重ねて配置され、指示体との間の距離を検出可能なタッチパネルと、を備え、前記ポインタは、前記指示体の移動に応じて移動し、前記タッチパネルの所定の領域において、前記距離が第１の距離以下であり、かつ前記第１の距離より小さい第２の距離より大きい場合、前記ポインタの移動の長さは、前記指示体の移動の長さの、所定の倍率である。【０００７】
上記構成によれば、タッチパネルの所定の領域の上空の所定の距離範囲内（第１の距離以下であり、かつ第１の距離より小さい第２の距離より大きい範囲内）での指示体（例えば“指”）の動きに対し、所定の倍率でポインタが移動する。したがって、片手操作で、指が届かない位置にあるアイコンにも容易にアクセスすることが可能となる。タッチパネルの所定の領域が仮想的にパッドとなり、当該領域を透過させることで、有効な表示エリアが小さくなることがなく、表示部の表示領域を有効に使用することができる。【０００８】
上記構成において、前記第２の距離は、０である。【０００９】
上記構成において、前記指示体の移動は、前記タッチパネルの面に沿った移動である。【００１０】
上記構成において、前記所定の倍率は、１より大きい。【００１１】
上記構成において、前記表示部は、平面視において第１の形状を有し、前記所定の領域は、平面視において、第２の形状を有し、前記第１の形状は、前記第２の形状より面積が大きい。【００１２】
上記構成において、前記第１の形状は、前記第２の形状の相似である。【００１３】
上記構成において、前記所定の倍率は、前記第１の形状と前記第２の形状との相似比と略同じである。【００１４】
上記構成において、前記表示部は、アイコンを表示可能であり、前記ポインタが前記アイコンと重なっている場合に、前記距離が少なくとも第２の距離以下になった場合、前記アイコンに対応する機能を起動する。【００１５】
上記構成によれば、片手操作で、指が届かない位置にあるアイコンでもアクセスすることができ、しかも、目的とするアイコンにポインタを持ってきた後、指示体を第２の距離以下までタッチパネルに近づけることで、目的とするアイコンに対応付けられた機能を起動させることができる。【００１６】
上記構成において、前記所定の領域を、図形を用いて表示可能とする。【００１７】
上記構成によれば、所定の領域を可視化できる。【００１８】
上記構成において、少なくとも、第１モードと第２モードを備え、前記第１モードにおいては、前記ポインタは、前記指示体の移動に応じて移動し、少なくとも前記所定の領域において、前記距離が第１の距離以下であり、かつ前記第２の距離より大きい場合、前記ポインタ移動の長さは、前記指示体移動の長さの、１より大きい所定の倍率であり、前記ポインタの位置に対応して機能を実行可能であり、前記第２モードにおいては、前記指示体の位置に対応して機能を実行可能である。【００１９】
上記構成において、第１の操作によって、前記第１モードから前記第２モードへ切り替え可能である。【００２０】
上記構成において、第２の操作によって、前記第２モードから前記第１モードへ切り替え可能である。【００２１】
上記構成において、前記第１の操作と前記第２の操作は同じ操作である。【００２２】
上記構成において、前記所定の領域は設定可能である。【００２３】
上記構成において、予め備えられた複数の所定の領域から使用者によって選択されることによって、前記所定の領域が設定可能である。【００２４】
上記構成において、使用者によって前記図形が移動又は／及び変形されることによって、前記所定の領域が設定可能である。【００２５】
上記構成において、少なくとも、第１モードと第３モードを備え、前記第１モードにおいては、前記ポインタが前記指示体の移動に応じて移動し、前記第３モードにおいては、前記所定の領域を表示する。【００２６】
上記構成において、前記第３モードにおいて、前記図形を所定の透過率で表示する。【００２７】
上記構成において、前記第１モードにおいては、前記ポインタが前記指示体の移動に応じて移動するとともに、前記所定の領域を、第１透過率の図形を用いて表示し、前記第３モードにおいては、前記所定の領域を、前記第１透過率より小さい第２透過率の図形を用いて表示する。【００２８】
上記構成において、前記第１モードにおいて、前記所定の領域を表示しない。【００２９】
上記構成において、少なくとも前記第３モードにおいて、前記所定の領域が設定可能である。
【発明の効果】
【００３０】
本発明によれば、片手操作で、指が届かない位置にあるアイコンにも容易にアクセスすることができるとともに、表示部の表示領域を有効に使用することができる。
【図面の簡単な説明】
【００３１】
【図１】本発明の一実施の形態に係る携帯電子機器の概略構成を示すブロック図
【図２】図１の携帯電子機器の概観を示す斜視図
【図３】（ａ），（ｂ）図１の携帯電子機器のポインタモードを説明するための図
【図４】図１の携帯電子機器に用いられる座標補正のパターンの一例を示す図
【図５】（ａ），（ｂ）図１の携帯電子機器の座標補正Ｘ，Ｙ領域の他の設定例を示す図
【図６】図１の携帯電子機器のポインタモードにおける動作を説明するためのフローチャート
【図７】（ａ），（ｂ）図１の携帯電子機器における設定モードを説明するための図
【図８】図１の携帯電子機器における座標補正Ｘ，Ｙ領域変更動作を説明するためのフローチャート
【図９】図１の携帯電子機器における座標補正Ｘ，Ｙ領域変更動作を説明するためのフローチャート
【図１０】図１の携帯電子機器のタッチパネルにおけるモード切替Ｘ，Ｙ領域と指示体である指との位置関係を示す図
【図１１】（ａ），（ｂ）図１の携帯電子機器のモード切替Ｘ，Ｙ領域の設定例（１）を示す図
【図１２】（ａ），（ｂ）図１の携帯電子機器のモード切替Ｘ，Ｙ領域の設定例（２）を示す図
【図１３】図１の携帯電子機器における通常モードとポインタモードの切替え動作を説明するためのフローチャート
【発明を実施するための形態】
【００３２】
以下、本発明を実施するための好適な実施の形態について、図面を参照して詳細に説明する。
【００３３】
図１は、本発明の一実施の形態に係る携帯電子機器の概略構成を示すブロック図である。図２は、図１の携帯電子機器の概観を示す斜視図である。なお、本実施の形態に係る携帯電子機器１は、例えばスマートフォンと呼ばれる携帯無線機に適用したものであり、図１では無線機としての通信に関する部分を省略している。
【００３４】
図１に示すように、本実施の形態に係る携帯電子機器１は、タッチパネル２、表示部３、記憶部５及び制御部６を有する。また、図２に示すように、本実施の形態に係る携帯電子機器１は、縦長長方形状の筐体７を有しており、筐体７の前面側に、筐体７の前面の面積より僅かに小さい面積のタッチパネル２及び表示部３が配置される。タッチパネル２は表示部３の前面側に重ねて配置される。なお、表示部３は、平面視において第１の形状である縦長長方形状を成す。
【００３５】
タッチパネル２は、パネル面に指示体（使用者の指やペン等であり、本実施の形態では“指”として扱うこととする）が触れることなく所定の範囲の高さでの操作（これを“ホバー操作”と呼ぶ）が可能な静電容量方式を採用したものである。タッチパネル２は、図示せぬ送信電極と受信電極とを備えており、これらが板状の誘電体の下面に離間して配置されている。送信電極には送信信号に基づく駆動パルスが印加される。送信電極に駆動パルスを印加することより送信電極から電界が発生し、この電界中に指が入ると、送信電極と受信電極の間の電気力線の数が減少し、電気力線の数の変化が受信電極における電荷の変化として現れる。タッチパネル２は、受信電極における電荷の変化に応じた受信信号から指を検出し、指の座標データ（Ｘ，Ｙ）及び距離データ（Ｚ）を制御部６に出力する。
【００３６】
表示部３は、縦長長方形状を成し、携帯電子機器１を操作するための表示や画像等の表示に使用される。表示部３には、ＬＣＤ（Liquid Crystal Display）、有機ＥＬ（Electro Luminescence）又は電子ペーパーが用いられる。記憶部５は、ＤＲＡＭ（Dynamic Random Access Memory）等の揮発性メモリを有し、使用者が携帯電子機器１を使用するうえでの設定を行った際にその設定状態を記憶する。
【００３７】
制御部６は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。制御部６は、動作モードとして、（１）ポインタモード（第１モード）、（２）通常モード（第２モード）及び（３）設定モード（第３モード）を有している。ポインタモードは、パッド操作を行うときに使用するモードである。通常モードは、デフォルトであり、タッチ位置と機能動作位置が同じモードである。設定モードは、座標補正Ｘ，Ｙ領域（所定の領域）を設定するモードである。
【００３８】
ポインタモードにおける操作は、通常モードでの操作と同様に、タッチパネル２に直接触れるのではなく、タッチパネル２の上空で操作を行う間接的な操作（“ホバー操作”）となる。タッチパネル２の所定の領域の上空で、かつ所定の距離範囲内に指を翳すことで、検出された座標に対応した位置にポインタが表示される。ポインタモードでは、指を動かすことで、指の移動の長さに対して所定の倍率の長さでポインタが移動する。この場合、１より大きい所定の倍率でポインタを移動させる。例えば倍率を２倍とした場合、指を１ｃｍ移動させることでポインタが２ｃｍ移動する。また、ポインタモードでは、ポインタの位置に対応して機能が実行される。
【００３９】
ここで、ポインタモードについてさらに詳細に説明する。図３（ａ），（ｂ）は、ポインタモードを説明するための図である。同図の（ａ）は、表示部３における右手操作用の座標補正Ｘ，Ｙ領域２０を示し、同図の（ｂ）は、タッチパネル２における座標補正Ｘ，Ｙ領域２０と指示体である指１０との位置関係を示す図である。まず同図の（ａ）において、タッチパネル２には、平面視において第２の形状である縦長長方形状を成す座標補正Ｘ，Ｙ領域２０が設定される。座標補正Ｘ，Ｙ領域２０は、表示部３より小面積で、その下端部右端が原点Ｐ４として、表示部３の下端部右端の原点Ｐ１と略同じ位置になっている。また、座標補正Ｘ，Ｙ領域２０の最大Ｘ座標Ｐ５が表示部３の最大Ｘ座標Ｐ２より原点Ｐ４側に位置しており、座標補正Ｘ，Ｙ領域２０の最大Ｙ座標Ｐ６が表示部３の最大Ｙ座標Ｐ３より原点Ｐ４側に位置している。
【００４０】
同図の（ｂ）に示すように、座標補正Ｘ，Ｙ領域２０の上空で、第１の距離以下、かつ第１の距離より小さい第２の距離より大きい距離範囲内に指１０を翳すことで、ホバー状態にある指１０の座標（正確には指先の座標）２５が検出され、検出された座標２５に対応した位置にポインタ３０が表示される。ポインタ３０は、座標補正Ｘ，Ｙ領域２０における指１０の動きにおいて、指１０の移動の長さに対し、所定の倍率の長さで移動するように制御される。そして、ポインタ３０がアイコン（図示略）と重なっている場合（アイコンが選択されている場合）で、指１０を第２の距離以下にタッチパネル２に近づけると、当該アイコンに対応する機能が起動される。このように、ポインタモードでは、指１０の動きの長さに対して、所定の倍率でポインタを移動させるので、片手操作で指が届かない位置にあるアイコンに対して容易にアクセスすることが可能となる。
【００４１】
なお、座標補正Ｘ，Ｙ領域２０をタッチパネル２に設定しただけではその存在を容易に認識することが困難であるが、表示部３の座標補正Ｘ，Ｙ領域２０と対応する位置に、座標補正Ｘ，Ｙ領域２０を示す図形を表示することで、認識できるようになる。但し、座標補正Ｘ，Ｙ領域２０を示す図形を常時表示するようにすると、通常使用時（通常モード時）には視認の邪魔になるので、ポインタモードのときにのみ表示するようにする。特に、所定の透過率（５０〜１００％）で表示すると良い。このときの透過率を第１の透過率とする。
【００４２】
また、ポインタ３０は、図３の（ａ）に示すような点で表示するようにしても良いし、矢印等の記号で表示するようにしても良い。
また、指１０の移動の長さに対するポインタ３０の移動の長さの倍率は、座標補正Ｘ，Ｙ領域２０の全領域に亘って一定であっても良いし、部分的に異なるようにしても良い。図４は、指１０の検出座標２５をポインタ３０の座標に補正（変換）するためのパターンの一例を示す図である。同図に示すパターン４０は、座標補正Ｘ，Ｙ領域２０の全領域に亘って倍率が一定になるパターンであり、同図に示すパターン４１は、倍率が２段階で変化するパターンである。２段階で変化するパターン４１は、原点Ｐ４（図３（ａ）参照）から略中央までは傾斜が緩く、その先は急になっている。即ち、原点Ｐ４から略中央までは指１０の移動に対するポインタ３０の移動の倍率が小さく、その先からは倍率が大きくなっている。ポインタ３０の移動の倍率が小さい場合は、指１０の動きに対するポインタ３０の動きが比較的小さくなり、逆に倍率が大きい場合は、ポインタ３０の動きが大きくなる。なお、図４に示すパターン４０，４１は、あくまでも一例であり、その他、様々なパターンが考えられる。
【００４３】
また、座標補正Ｘ，Ｙ領域２０の設定位置は、図３の（ａ）に示すように、右手操作用として、表示部３内の右寄りに設定する以外、左手操作用として表示部３内の左寄りに設定したり、両手操作用として表示部３内の中央より下に設定したりすることができる。図５（ａ），（ｂ）は、座標補正Ｘ，Ｙ領域２０の他の設定例を示す図であり、同図の（ａ）は左手操作用の座標補正Ｘ，Ｙ領域２０、同図の（ｂ）は両手操作用の座標補正Ｘ，Ｙ領域２０である。座標補正Ｘ，Ｙ領域２０の形状と表示部３の形状を相似関係とすることで、ポインタ３０の操作を直感的に行うことが可能となる。この場合、上記所定の倍率は、第１の形状の表示部３と第２の形状の座標補正Ｘ，Ｙ領域２０との相似比と略同じである。
【００４４】
また、上記第２の距離は、０（ゼロ）であっても良い。第２の距離を０とすることで、ポインタモードでの操作範囲を、第１の距離からタッチパネル２に触れる直前までとすることができる。
【００４５】
図６は、ポインタモードにおける動作を説明するためのフローチャートである。同図において、制御部６は、タッチパネル２から出力される指１０の座標データ（Ｘ，Ｙ）及び距離データ（Ｚ）を取得する（ステップＳ１）。そして、制御部６は、取得した指１０の座標データ（Ｘ，Ｙ）及び距離データ（Ｚ）よりポインタ座標（Ｘ２，Ｙ２）を算出する（ステップＳ２）。このとき、図４に示すパターン４０又はパターン４１を使用する。そして、制御部６は、指１０が、座標補正Ｘ，Ｙ領域２０において、タッチパネル２との間の距離が第１の距離以下であり、かつ第１の距離より小さい第２の距離より大きい位置に有るかどうかを判定する（ステップＳ３）。
【００４６】
ステップＳ３の判定において、「ＹＥＳ」の場合、制御部６は、指１０の座標に対するポインタ３０の座標（Ｘ２，Ｙ２）の位置にポインタ３０を表示する（ステップＳ４）。そして、ポインタ座標（Ｘ２，Ｙ２）及び取得距離（Ｚ）に対応した機能を実行する（ステップＳ５）。この処理を行った後、ステップＳ１に戻る。一方、ステップＳ３の判定において、「ＮＯ」の場合、ポインタは表示せずにポインタ座標（Ｘ２，Ｙ２）及び取得距離（Ｚ）に対応した機能を実行する（ステップＳ５）。この処理を行った後、ステップＳ１に戻る。
【００４７】
次に、設定モードについて説明する。設定モードを選択することで、ユーザ（使用者）は座標補正Ｘ，Ｙ領域２０のサイズや位置を任意に変更することができる。図７（ａ），（ｂ）は、設定モードを説明するための図である。同図の（ａ）は、座標補正Ｘ，Ｙ領域２０を表示部３の左下端部に対応する領域に設定した例であり、同図の（ｂ）は、座標補正Ｘ，Ｙ領域２０を表示部３の下端中央部に対応する領域に設定した例である。座標補正Ｘ，Ｙ領域２０の大きさの調整は所謂ピンチイン操作、ピンチアウト操作で自由に行うことができる。即ち、座標補正Ｘ，Ｙ領域２０を大きくする場合はピンチアウト操作を行い、小さくする場合はピンチイン操作を行う。座標補正Ｘ，Ｙ領域２０の位置の調整は所謂ホールドアンドドラッグ操作で自由に行うことができる。即ち、座標補正Ｘ，Ｙ領域２０を長手方向に移動する場合は座標補正Ｘ，Ｙ領域２０をホールドした後、長手方向にドラッグ操作を行う。
なお、設定モードのときにおいても、ポインタモードのときと同様に、座標補正Ｘ，Ｙ領域２０を示す図形を表示するようにする。特に、設定モードのときには、座標補正Ｘ，Ｙ領域２０を示す図形が明確に視認できるように、ポインタモードのときの第１の透過率（５０〜１００％）よりも小さい第２の透過率（０〜５０％）にすると良い。即ち、ポインタモードのときよりも濃く表示すると良い。
【００４８】
図８は、座標補正Ｘ，Ｙ領域２０をカスタマイズ可能とする座標補正Ｘ，Ｙ領域変更動作を説明するためのフローチャートである。同図において、制御部６は、まず通常モードから設定モードに切替える（ステップＳ１０）。設定モードに切替えた後、表示部３に座標補正Ｘ，Ｙ領域２０を表示する（ステップＳ１１）。次いで、制御部６は、ユーザによる座標補正Ｘ，Ｙ領域２０の位置、サイズ変更情報を取得する（ステップＳ１２）。ユーザがピンチイン操作、ピンチアウト操作、ホールドアンドドラッグ操作を行うことで、位置、サイズ変更情報が得られる。制御部６は、位置、サイズ変更情報を取得した後、当該情報に従い、座標補正Ｘ，Ｙ領域２０の位置及び／又はサイズを変更する（ステップＳ１３）。座標補正Ｘ，Ｙ領域２０の位置及び／又はサイズを変更した後、制御部６は、ユーザから設定完了指示があるかどうか判定し（ステップＳ１４）、設定完了指示がなければ、ステップＳ１２に戻り、ユーザによる座標補正Ｘ，Ｙ領域２０の位置、サイズ変更情報を取得する。これに対し、設定完了指示があれば、通常モードに切替えて（ステップＳ１５）、本処理を終える。このように、ユーザは、座標補正Ｘ，Ｙ領域２０の位置及び／又はサイズを自由にカスタマイズできる。
【００４９】
図９は、複数のパターンの座標補正Ｘ，Ｙ領域２０の中から所望のものを選択可能とする座標補正Ｘ，Ｙ領域変更動作を説明するためのフローチャートである。同図において、制御部６は、まず通常モードから設定モードに切替える（ステップＳ２０）。設定モードに切替えた後、表示部３に、複数の座標補正Ｘ，Ｙ領域２０のパターンを表示する（ステップＳ２１）。次いで、制御部６は、ユーザによる領域選択情報を取得する（ステップＳ２２）。即ち、ユーザが選択したパターンの座標補正Ｘ，Ｙ領域２０を示す情報を取得する。領域選択情報を取得した後、座標補正Ｘ，Ｙ領域２０を変更する（ステップＳ２３）。即ち、ユーザが選択したパターンの座標補正Ｘ，Ｙ領域２０に置き換える。座標補正Ｘ，Ｙ領域２０を変更した後、通常モードに切替えて（ステップＳ２４）、本処理を終える。このように、ユーザは、複数のパターンの座標補正Ｘ，Ｙ領域２０の中から所望のものを選択することができる。
【００５０】
このように本実施の形態に係る携帯電子機器１によれば、ポインタ３０を表示可能な表示部３と、表示部３に重ねて配置され、指示体である指１０との間の距離を検出可能なタッチパネル２と、を備え、指１０の移動に応じてポインタ３０を移動させ、指１０が、タッチパネル２の座標補正Ｘ，Ｙ領域２０において、タッチパネル２との間の距離が第１の距離以下であり、かつ第１の距離より小さい第２の距離より大きい場合、指１０の移動の長さに対して所定の倍率（１より大きい）の長さでポインタ３０を移動させるので、片手操作で、指１０が届かない位置にあるアイコンにも容易にアクセスすることが可能となる。また、タッチパネル２の座標補正Ｘ，Ｙ領域２０が仮想的にパッドとなり、当該領域２０を透過させることで、表示部３の有効な表示エリアが小さくなることがなく、表示部３の表示領域を有効に使用することができる。
【００５１】
なお、本実施の形態に係る携帯電子機器１では、図６のフローチャートで示す処理と、図８又は図９のフローチャートで示す処理をそれぞれ記述したプログラムをＲＯＭに持たせることになるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００５２】
また、本実施の形態に係る携帯電子機器１は、スマートフォンと呼ばれる携帯無線機に適用したものであったが、携帯無線機に限らず、電子レンジ等の家電や、自動車等のナビゲーション等の操作パネルでも適用可能である。
【００５３】
ここで、通常モードとポインタモードの切替えについて説明する。
図１０は、タッチパネル２におけるモード切替Ｘ，Ｙ領域５０と指示体である指１０との位置関係を示す図である。タッチパネル２には、表示部３より小面積のモード切替Ｘ，Ｙ領域５０が設定される。モード切替Ｘ，Ｙ領域５０において、第３の距離以下、かつ第３の距離より小さい第４の距離より大きい距離範囲内に指１０を翳すことで、通常モードからポインタモードに切り替わる。また、現時点でポインタモードになっている場合は、通常モードに切り替わる。
【００５４】
図１１（ａ），（ｂ）は、モード切替Ｘ，Ｙ領域５０の設定例（１）を示す図である。同図の（ａ）は、表示部３の縦方向の長さをタッチパネル２より短くし、タッチパネル２の表示部３と重なっていない部分をモード切替Ｘ，Ｙ領域５０とした例であり、同図の（ｂ）は、タッチパネル２と表示部３の大きさを略同一とし、タッチパネル２の表示部３と重なっている下端部分をモード切替Ｘ，Ｙ領域５０とした例である。いずれの例においても、モード切替Ｘ，Ｙ領域５０において、第３の距離以下、かつ第３の距離より小さい第４の距離より大きい距離範囲内に所定時間指１０を翳すことで、通常モードとポインタモードの切替えが行われる。なお、同図の（ａ），（ｂ）それぞれにおいて、タッチパネル２にマーク６０を刻印しているが、このマーク６０とモード切替機能とは別のものである。
【００５５】
図１２（ａ），（ｂ）は、モード切替Ｘ，Ｙ領域５０の設定例（２）を示す図である。同図の（ａ）及び（ｂ）は、モード切替Ｘ，Ｙ領域５０を表示部３と略同じ大きさとした例である。同図の（ａ）の場合は、モード切替Ｘ，Ｙ領域５０において、第３の距離以下、かつ第３の距離より小さい第４の距離より大きい距離範囲で、円を描くように指１０を動かすことで、通常モードとポインタモードとの切替えが行われる。例えば、右回りに円を描くように指１０を動かすことで（第１の操作）、通常モードからポインタモードに切り替わり、左回りに円を描くように指１０を動かすことで（第２の操作）、ポインタモードから通常モードに切り替わる。なお、同図の（ａ）において、検出座標２５の軌跡２６は、指１０が動いた軌跡であって、表示されるものではない。また、第１の操作と第２の操作は、同じ操作であっても良い。
【００５６】
一方、図１２の（ｂ）の場合は、モード切替Ｘ，Ｙ領域５０において、第３の距離以下、かつ第３の距離より小さい第４の距離より大きい距離範囲で、扇を描くように指１０を動かすことで、通常モードとポインタモードとの切替えが行われる。例えば、下から上へ扇を描くように指１０を動かすことで（第１の操作）、通常モードからポインタモードに切り替わり、上から下へ扇を描くように指１０を動かすことで（第２の操作）、ポインタモードから通常モードに切り替わる。なお、同図の（ｂ）において、検出座標２５の軌跡２７は、指１０が動いた軌跡であって、表示されるものではない。また、第１の操作と第２の操作は、同じ操作であっても良い。
このように、円を描くように指１０を動かしたり、扇を描くように指１０を動かしたりするジェスチャーを検出することで、通常モードとポインタモードとの切替えが行われる。
【００５７】
図１３は、ジェスチャー検出で通常モードとポインタモードの切替えを行う例の動作を示すフローチャートである。同図において、制御部６は、タッチパネル２から出力される指１０の座標データ（Ｘ，Ｙ）及び距離データ（Ｚ）を取得する（ステップＳ３０）。そして、制御部６は、取得した指１０の座標データ（Ｘ，Ｙ）及び距離データ（Ｚ）より、指１０が、モード切替Ｘ，Ｙ領域５０において、所定のジェスチャーを検出できたかどうか判定する（ステップＳ３１）。モード切替Ｘ，Ｙ領域５０において、所定のジェスチャーを検出できた場合（「ＹＥＳ」の場合）、モードを切替える（ステップＳ３２）。例えば、図１２の（ａ）のように、右回りに円を描くように指１０が動かされた場合は、通常モードからポインタモードに切替え、左回りに円を描くように指１０が動かされた場合は、ポインタモードから通常モードに切替える。モード切替を行った後、ステップＳ３０に戻る。また、ステップＳ３１の判定で、モード切替Ｘ，Ｙ領域５０において、所定のジェスチャーを検出できなかった場合（「ＮＯ」の場合）は、何も処理を行うことなくステップＳ３０に戻る。
【００５８】
なお、図１３のフローチャートで示す処理を記述したプログラムにおいてもＲＯＭに持たせる以外、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００５９】
本発明を詳細にまた特定の実施態様を参照して説明したが、本発明の精神と範囲を逸脱することなく様々な変更や修正を加えることができることは当業者にとって明らかである。
【００６０】
本出願は、２０１２年９月１３日出願の日本特許出願（特願２０１２−２０１６１７）に基づくものであり、その内容はここに参照として取り込まれる。
【産業上の利用可能性】
【００６１】
本発明は、片手操作で、指が届かない位置にあるアイコンにも容易にアクセスすることができるとともに、表示部の表示領域を有効に使用することができるといった効果を有し、スマートフォン等の静電容量方式のタッチパネルを用いた携帯電子機器への適用が可能である。
【符号の説明】
【００６２】
１  携帯電子機器
２  タッチパネル
３  表示部
５  記憶部
６  制御部
７  筐体
１０  指
２０  座標補正Ｘ，Ｙ領域
２５  検出座標
３０  ポインタ
４０，４１  パターン
５０  モード切替Ｘ，Ｙ領域
６０  マーク
【図１】
2014041732.tif 000003
【図２】
2014041732.tif 000004
【図３】
2014041732.tif 000005
【図４】
2014041732.tif 000006
【図５】
2014041732.tif 000007
【図６】
2014041732.tif 000008
【図７】
2014041732.tif 000009
【図８】
2014041732.tif 000010
【図９】
2014041732.tif 000011
【図１０】
2014041732.tif 000012
【図１１】
2014041732.tif 000013
【図１２】
2014041732.tif 000014
【図１３】
2014041732.tif 000015
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
ポインタを表示可能な表示部と、
前記表示部に重ねて配置され、指示体との間の距離を検出可能なタッチパネルと、を備え、
前記ポインタは、前記指示体の移動に応じて移動し、
前記タッチパネルの所定の領域において、前記距離が第１の距離以下であり、かつ前記第１の距離より小さい第２の距離より大きい場合、前記ポインタ移動の長さは、前記指示体移動の長さの、１より大きい所定の倍率である、
携帯電子機器。
【請求項２】
請求項１に記載の携帯電子機器であって、
前記第２の距離は、０である、
携帯電子機器。
【請求項３】
請求項１又は請求項２に記載の携帯電子機器であって、
前記指示体の移動は、前記タッチパネルの面に沿った移動である、
携帯電子機器。
【請求項４】
請求項１から請求項３のいずれか１項に記載の携帯電子機器であって、
前記表示部は、平面視において第１の形状を有し、
前記所定の領域は、平面視において、第２の形状を有し、
前記第１の形状は、前記第２の形状より面積が大きい、
携帯電子機器。
【請求項５】
請求項４に記載の携帯電子機器であって、
前記第１の形状は、前記第２の形状の相似である、
携帯電子機器。
【請求項６】
請求項５に記載の携帯電子機器であって、
前記所定の倍率は、前記第１の形状と前記第２の形状との相似比と略同じである、
携帯電子機器。
【請求項７】
請求項１から請求項６のいずれか１項に記載の携帯電子機器であって、
前記表示部は、アイコンを表示可能であり、
前記ポインタが前記アイコンと重なっている場合に、前記距離が少なくとも第２の距離以下になった場合、前記アイコンに対応する機能を起動する、
携帯電子機器。
【請求項８】
請求項１から請求項７のいずれか１項に記載の携帯電子機器であって、
前記所定の領域を、図形を用いて表示可能な、
携帯電子機器。
【請求項９】
請求項１から請求項８のいずれか１項に記載の携帯電子機器であって、
少なくとも、第１モードと第２モードを備え、
前記第１モードにおいては、
前記ポインタは、前記指示体の移動に応じて移動し、
少なくとも前記所定の領域において、前記距離が第１の距離以下であり、かつ前記第２の距離より大きい場合、前記ポインタ移動の長さは、前記指示体移動の長さの、１より大きい所定の倍率であり、
前記ポインタの位置に対応して機能を実行可能であり、
前記第２モードにおいては、
前記指示体の位置に対応して機能を実行可能である、
携帯電子機器。
【請求項１０】
請求項９に記載の携帯電子機器であって、
第１の操作によって、前記第１モードから前記第２モードへ切り替え可能な、
携帯電子機器。
【請求項１１】
請求項９又は請求項１０に記載の携帯電子機器であって、
第２の操作によって、前記第２モードから前記第１モードへ切り替え可能な、
携帯電子機器。
【請求項１２】
請求項１１に記載の携帯電子機器であって、
前記第１の操作と前記第２の操作は同じ操作である、
携帯電子機器。
【請求項１３】
請求項１から請求項１２のいずれか１項に記載の携帯電子機器であって、
前記所定の領域は設定可能である、
携帯電子機器。
【請求項１４】
請求項１３に記載の携帯電子機器であって、
予め備えられた複数の所定の領域から使用者によって選択されることによって、前記所定の領域が設定可能である、
携帯電子機器。
【請求項１５】
請求項１３又は請求項１４に記載の携帯電子機器であって、
使用者によって前記図形が移動又は／及び変形されることによって、前記所定の領域が設定可能である、
携帯電子機器。
【請求項１６】
請求項１から請求項１５のいずれか１に記載の携帯電子機器であって、
少なくとも、第１モードと第３モードを備え、
前記第１モードにおいては、前記ポインタが前記指示体の移動に応じて移動し、
前記第３モードにおいては、前記所定の領域を表示する、
携帯電子機器。
【請求項１７】
請求項１６に記載の携帯電子機器であって、
前記第３モードにおいて、前記図形を所定の透過率で表示する、
携帯電子機器。
【請求項１８】
請求項１７に記載の携帯電子機器であって、
前記第１モードにおいては、前記ポインタが前記指示体の移動に応じて移動するとともに、前記所定の領域を、第１透過率の図形を用いて表示し、
前記第３モードにおいては、前記所定の領域を、前記第１透過率より小さい第２透過率の図形を用いて表示する、
携帯電子機器。
【請求項１９】
請求項１６に記載の携帯電子機器であって、
前記第１モードにおいて、前記所定の領域は表示されない、
携帯電子機器。
【請求項２０】
請求項１６から請求項１９のいずれか１項に記載の携帯電子機器であって、
少なくとも前記第３モードにおいて、前記所定の領域が設定可能である、
携帯電子機器。
【手続補正２】
【補正対象書類名】明細書
【補正対象項目名】０００６
【補正方法】変更
【補正の内容】
【０００６】
本発明の携帯男子機器は、ポインタを表示可能な表示部と、前記表示部に重ねて配置され、指示体との間の距離を検出可能なタッチパネルと、を備え、前記ポインタは、前記指示体の移動に応じて移動し、前記タッチパネルの所定の領域において、前記距離が第１の距離以下であり、かつ前記第１の距離より小さい第２の距離より大きい場合、前記ポインタ移動の長さは、前記指示体移動の長さの、１より大きい所定の倍率である。
【手続補正３】
【補正対象書類名】明細書
【補正対象項目名】０００７
【補正方法】変更
【補正の内容】
【０００７】
上記構成によれば、タッチパネルの所定の領域の上空の所定の距離範囲内（第１の距離以下であり、かつ第１の距離より小さい第２の距離より大きい範囲内）での指示体（例えば“指”）の動きに対し、１より大きい所定の倍率でポインタが移動する。これにより、片手操作で、指が届かない位置にあるアイコン等にも容易にアクセスすることが可能となる。
【手続補正４】
【補正対象書類名】明細書
【補正対象項目名】００１０
【補正方法】削除
【補正の内容】
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
表示部と、
少なくとも一部が前記表示部に重ねて配置され、所定の距離離れた指示体を検出可能なタッチパネルと、
前記タッチパネルの端部に配置された所定の領域と、を備え、
前記指示体と前記タッチパネルの距離が第１の距離以下であり、かつ前記第１の距離より小さい第２の距離より大きい場合に、前記表示部が、前記指示体の移動に応じて移動するポインタを表示し、前記ポインタの移動の長さが、前記指示体の移動の長さの、１より大きい所定の倍率である第１のモードと、
前記指示体の移動の１倍に対応してｘｙ座標が移動する第２のモードと、有する携帯電子機器であって、
前記第２のモードにおいて、前記所定の領域における前記指示体と前記タッチパネルの距離が第３の距離以下であり、かつ前記第３の距離より小さい第４の距離より大きい状態で所定の操作がなされた場合、前記第１のモードに切り替わる、
携帯電子機器。
【請求項２】
請求項１に記載の携帯電子機器であって、
前記第１のモードにおいて、前記所定の領域における前記指示体と前記タッチパネルの距離が前記第３の距離以下であり、かつ前記第３の距離より小さい前記第４の距離より大きい状態で前記所定の操作がなされた場合、前記第２のモードに切り替わる、
携帯電子機器。
【請求項３】
請求項１に記載の携帯電子機器であって、
前記第２のモードにおいて、前記所定の領域における前記指示体と前記タッチパネルの距離が前記第３の距離以下であり、かつ前記第３の距離より小さい前記第４の距離より大きい状態が所定時間継続した場合、前記第１のモードに切り替わる、
携帯電子機器。
【請求項４】
請求項１に記載の携帯電子機器であって、
前記第２のモードにおいて、前記所定の領域における前記指示体と前記タッチパネルの距離が前記第３の距離以下であり、かつ前記第３の距離より小さい前記第４の距離より大きい状態で円を描く操作がなされた場合、前記第１のモードに切り替わる、
携帯電子機器。
【請求項５】
請求項１に記載の携帯電子機器であって、
前記第２のモードにおいて、前記所定の領域における前記指示体と前記タッチパネルの距離が前記第３の距離以下であり、かつ前記第３の距離より小さい前記第４の距離より大きい状態で扇を描く操作がなされた場合、前記第１のモードに切り替わる、
携帯電子機器。
【請求項６】
請求項１から請求項５のいずれか１項に記載の携帯電子機器であって、
前記所定の領域は、前記タッチパネルの下端部分に配置された、
携帯電子機器。
【請求項７】
請求項１から請求項６のいずれか１項に記載の携帯電子機器であって、
所定のマークが前記所定の領域に記された、
携帯電子機器。
【請求項８】
請求項７に記載の携帯電子機器であって、
前記マークは、前記第１のモードと前記第２のモードの切り替えとは関連しないマークである、
携帯電子機器。
【請求項９】
請求項１から請求項８のいずれか1項に記載の携帯電子機器であって、
前記指示体の移動は、前記タッチパネルの面に沿った移動である、
携帯電子機器。
【請求項１０】
請求項１から請求項９のいずれか１項に記載の携帯電子機器であって、
前記表示部は、アイコンを表示可能であり、
前記第１のモードにおいて、前記ポインタが前記アイコンと重なっている場合に、前記距離が少なくとも第２の距離以下になった場合、前記アイコンに対応する機能を起動する、
携帯電子機器。
【手続補正２】
【補正対象書類名】明細書
【補正対象項目名】０００６
【補正方法】変更
【補正の内容】
【０００６】
本発明の携帯電子機器は、表示部と、少なくとも一部が前記表示部に重ねて配置され、所定の距離離れた指示体を検出可能なタッチパネルと、前記タッチパネルの端部に配置された所定の領域と、を備え、前記指示体と前記タッチパネルの距離が第１の距離以下であり、かつ前記第１の距離より小さい第２の距離より大きい場合に、前記表示部が、前記指示体の移動に応じて移動するポインタを表示し、前記ポインタの移動の長さが、前記指示体の移動の長さの、１より大きい所定の倍率である第１のモードと、前記指示体の移動の１倍に対応してｘｙ座標が移動する第２のモードと、有する携帯電子機器であって、前記第２のモードにおいて、前記所定の領域における前記指示体と前記タッチパネルの距離が第３の距離以下であり、かつ前記第３の距離より小さい第４の距離より大きい状態で所定の操作がなされた場合、前記第１モードに切り替わる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【国際調査報告】
2014041732.tif 000016
2014041732.tif 000017